(57)【要約】  【課題】全ての羽根が、隣接する２枚の羽根の間に存在するように構成されているにもかかわらず、小さい絞り口径の制御を好適に行えるようにしたカメラ用絞り装置を提供すること。  【解決手段】地板１と補助地板２の間に構成された羽根室には、電磁駆動手段によって、光軸を中心にして往復回転させられる絞りリング４と、その絞りリング４によって同時に同じ方向へ往復回転させられ協働して絞り口径を変化させる複数枚の羽根５が配置されていて、羽根５は、羽根軸５ａを地板１の孔１ｈに嵌合させ、連結ピン５ｂを絞りリング４に形成されたカム状の長孔４ａに嵌合させている。また、地板１と絞りリング４には、対向する複数箇所に、カム面１ｆとカム面４ｄが形成されていて、地板１に設けられた弾性を有する舌片１ｇによって常に接触させられ、補助地板２と絞りリング４の間隔が変化するようになっている。【選択図】  図２
2008134283.tif 000002
【特許請求の範囲】
【請求項１】
羽根室側の面には光軸に沿った方向に高低差のあるスロープとして光軸を中心にして略円弧状に形成した複数のカム面を有している地板と、前記地板との間に前記羽根室を構成している板部材と、前記羽根室内において光軸を中心にして回転可能に配置されており前記地板側の面には前記地板のカム面と接し得るようにして該カム面とはスロープの高さ方向を逆にして略円弧状に形成した複数のカム面を有している絞りリングと、各羽根は前記絞りリングと前記板部材との間においてその一部が隣接する両側の羽根の間にあるように重ねられ前記地板又は前記板部材に対して回転可能に取り付けられておりピンと長孔との嵌合構成によって前記絞りリングに連結されていて前記絞りリングが回転したときには協働して絞り口径を変化させるようにした複数枚の羽根からなる絞り羽根と、前記絞りリングのカム面が前記地板のカム面に常に接触するように前記絞りリングを押圧している弾性手段と、前記絞りリングを往復回転させる電磁駆動手段と、を備えており、前記絞りリングが最小絞り口径制御位置にあるときには、前記絞りリングと前記板部材との間隔が最大となるようにしていることを特徴とするカメラ用絞り装置。
【請求項２】
前記弾性手段が、前記板部材又は前記地板に設けられた弾性を有する複数の舌片であって、該舌片は、その弾性によって、常にその先端を前記絞りリングの前記板部材側の面に接触させているようにしたことを特徴とする請求項１に記載のカメラ用絞り装置。
【請求項３】
前記地板又は前記板部材が合成樹脂製であって、前記複数の舌片は、前記地板又は前記板部材の製作時において同時一体成形によって形成されていることを特徴とする請求項２に記載のカメラ用絞り装置。
【請求項４】
前記地板に設けられている前記複数の舌片が、前記絞りリングを前記地板に対して回転可能に取り付けるために前記地板に設けられている複数の取付片でもあるようにしたことを特徴とする請求項２又は３に記載のカメラ用絞り装置。
【請求項５】
前記板部材が、前記地板と補助地板との間に配置されていて、前記地板と該補助地板の間にもう一つの羽根室を構成し、該羽根室内にはシャッタ羽根を配置することによって、シャッタ装置と共に一つのユニットとして構成されていることを特徴とする請求項１乃至４のいずれかに記載のカメラ用絞り装置。
【発明の詳細な説明】
【技術分野】
【０００１】
本発明は、複数枚の羽根が絞りリングによって同時に同じ方向へ回転させられることによって、協働して絞り口径を変化させるようにしたカメラ用絞り装置に関する。
【背景技術】
【０００２】
複数枚の羽根が絞りリングによって同時に同じ方向へ回転させられることにより、協働して絞り口径を変化させるようにしたカメラ用絞り装置は、古くから知られている。そして、この種の絞り装置のうち、普及カメラに採用されている絞り装置は、各羽根が、地板に対して長さ方向の一端で回転可能に取り付けられており、その近傍位置で絞りリングに連結されているのが普通である。そのため、各羽根は、他端部、即ち先端部を撮影光路に臨ませた状態で絞り口径を変化させることになる。また、各羽根と絞りリングとの連結は、下記の特許文献１に記載されているように、絞りリングに設けられているピンを羽根に形成された長孔に嵌合させるようにするか、下記の特許文献２に記載されているように、羽根に設けられているピンを絞りリングに形成された長孔（一般に、カム溝といわれている）に嵌合させるようにするのが普通であるが、最近では、後者のようにすることが多くなっている。
【０００３】
また、羽根相互の取り付け構成としては、特許文献１に記載されている構成のように、最初の羽根から順に重ねて取り付けていくだけであって、取り付け状態においては、いかなる状態においても最初の羽根と最後の羽根の先端部が接触しないようにしたものが知られている。この構成は、取り付け作業が簡単であるから、低コスト化には有利である。しかしながら、複数枚の羽根は、単に重ねられているだけであるから、隣接している羽根同士を所定の密接状態に保つことが難しい。特に撮影光路用の開口部が比較的大きいと、先端部がその開口部内に臨んでいることから、先端部同士の重なり関係が乱れてしまい、作動が不安定になったり、適正な最小絞り口径が得られなくなったりしてしまうことがある。そこで、そのようなことが生じないようにするため、特許文献２に記載されているように、取り付け状態においては、全ての羽根が、隣接する２枚の羽根の間に存在するように構成することが知られている。本発明は、羽根同士の重なり関係を、このような特許文献２に記載の構成にしたカメラ用絞り装置に関するものである。
【０００４】
【特許文献１】実公昭６２−３２２６６号公報
【特許文献２】特開２００５−２８４１０２号公報
【発明の開示】
【発明が解決しようとする課題】
【０００５】
最近のカメラ用絞り装置は、駆動手段として電磁アクチュエータを用いるのが普通になっており、特許文献２に記載されている絞り装置の場合にも、絞りリングを回転させる駆動手段として、ステップモータを用いている。ところで、周知のように、羽根同士の重なり関係を特許文献２に記載されているように構成すると、絞り口径を小さくしていくにしたがって、各羽根に反りが生じ、それらの先端部が、撮影光路用の開口部からその先端部を目視できる方向（特許文献２の図３においては、図面の奥方向）へ盛り上がっていくようになる。言い換えれば、ステップモータの負荷が徐々に大きくなっていくわけである。また、その先端部が盛り上がっている状態から逆に絞り口径を大きくしようとすると、いわゆる引っ掛かりが生じて、スムーズに作動を開始せず、絞り口径の小さい領域での制御が不安定なものになってしまう場合もある。そのため、このような羽根同士の重なり構成をした絞り装置の場合には、駆動力の大きな電磁アクチュエータを採用しなければならないという問題点があった。
【０００６】
本発明は、このような問題点を解決するためになされたものであり、その目的とするところは、取り付け状態においては、全ての羽根が、隣接する２枚の羽根の間に存在するように構成されているにもかかわらず、小さい絞り口径の制御を好適に行えるようにしたカメラ用絞り装置を提供することである。
【課題を解決するための手段】
【０００７】
上記の目的を達成するために、本発明のカメラ用絞り装置は、羽根室側の面には光軸に沿った方向に高低差のあるスロープとして光軸を中心にして略円弧状に形成した複数のカム面を有している地板と、前記地板との間に前記羽根室を構成している板部材と、前記羽根室内において光軸を中心にして回転可能に配置されており前記地板側の面には前記地板のカム面と接し得るようにして該カム面とはスロープの高さ方向を逆にして略円弧状に形成した複数のカム面を有している絞りリングと、各羽根は前記絞りリングと前記板部材との間においてその一部が隣接する両側の羽根の間にあるように重ねられ前記地板又は前記板部材に対して回転可能に取り付けられておりピンと長孔との嵌合構成によって前記絞りリングに連結されていて前記絞りリングが回転したときには協働して絞り口径を変化させるようにした複数枚の羽根からなる絞り羽根と、前記絞りリングのカム面が前記地板のカム面に常に接触するように前記絞りリングを押圧している弾性手段と、前記絞りリングを往復回転させる電磁駆動手段と、を備えており、前記絞りリングが最小絞り口径制御位置にあるときには、前記絞りリングと前記板部材との間隔が最大となるようにする。
【０００８】
その場合、前記弾性手段が、前記板部材又は前記地板に設けられた弾性を有する複数の舌片であって、該舌片は、その弾性によって、常にその先端を前記絞りリングの前記板部材側の面に接触させているようにする。しかも、前記地板又は前記板部材が合成樹脂製であって、前記複数の舌片は、前記地板又は前記板部材の製作時において同時一体成形によって形成されているようにするとコスト面で有利になる。また、前記地板に設けられている前記複数の舌片が、前記絞りリングを前記地板に対して回転可能に取り付けるために前記地板に設けられている複数の取付片でもあるようにすると、一層好ましいものとなる。更に、本発明のこれらのカメラ用絞り装置においては、前記板部材が、前記地板と補助地板との間に配置されていて、前記地板と該補助地板の間にもう一つの羽根室を構成し、該羽根室内にはシャッタ羽根を配置することによって、シャッタ装置と共に一つのユニットとして構成されているようにしてもよい。
【発明の効果】
【０００９】
本発明は、全ての羽根が、隣接する２枚の羽根の間に存在するように構成されたカメラ用絞り装置において、絞りリングに形成されているカム面を、地板に形成されているカム面に対して、弾性手段によって常に接触させておくようにし、絞りリングが、電磁駆動手段によって、最小絞り口径制御位置へ回転させられていくと、絞りリングと板部材との間隔が大きくなっていくようにしたので、従来の構成よりも各羽根の反りが大きくなっていかず、電磁駆動手段の駆動力を大きくしなくても、小口径の領域の絞り制御を安定して行えるという特徴がある。
【発明を実施するための最良の形態】
【００１０】
本発明の実施の形態を、図示した二つの実施例によって説明する。本発明のカメラ用絞り装置は、単体の絞り装置として構成することも、シャッタ装置と共にユニット化した絞り装置として構成することも可能である。しかしながら、実施例としては、単体の絞り装置として構成した場合で説明することにし、シャッタ装置と共にユニット化した絞り装置については、二つの実施例を説明した後に付言することにする。尚、図１〜図４は、実施例１を説明するためのものであり、図５〜図８は、実施例２を説明するためのものである。
【実施例１】
【００１１】
図１〜図４を用いて実施例１を説明する。尚、図１は、最大絞り口径の制御状態を示した平面図である。図２は、図１の状態における要部の断面図であるが、図２（ａ）は羽根の取付け位置を示したものであり、図２（ｂ）は絞りリングの取付け位置を示したものである。また、図３は、最小絞り口径の制御状態を示した平面図である。図４は、図３の状態における要部の断面図であって、図４（ａ）は羽根の取付け位置を示したものであり、図４（ｂ）は絞りリングの取付け位置を示したものである。
【００１２】
そこで先ず、主に図１及び図２を用いて、本実施例の構成を説明する。本実施例のカメラ用絞り装置は、地板１と補助地板２との間に羽根室を構成しており、図１は、その補助地板２を二点鎖線で示すことによって、補助地板２側から羽根室内の構成を分かり易く示したものである。本実施例の地板１は、合成樹脂製であって、その中央部には大きな開口部１ａを形成しており、外周部には、断続的に六つの壁部１ｂを形成している。そして、壁部１ｂを形成していない箇所のうちの３箇所には、径方向へ突き出た突起部１ｃを形成している。補助地板２は、金属製の薄い板部材であって、その中央部には光軸を中心にした円形の開口部２ａを形成しており、外周部には、３箇所に折曲部２ｂを有している。そして、この補助地板２は、外周部の地板１側の面を壁部１ｂの頂面に接触させ、折曲部２ｂに設けた孔を突起部１ｃに係合させた後、ねじ３によって地板１に螺着されている。尚、本実施例では、補助地板２を金属製としているが、合成樹脂製にし、別の方法で、地板１に取り付けるようにしても構わない。
【００１３】
また、地板１の羽根室側には、壁部１ｂの直ぐ内側に第１環状面１ｄが形成され、その内側には、第１環状面１ｄよりも深くして第２環状面１ｅが形成されている。また、第２環状面１ｅには、三つのカム面１ｆが、光軸を中心にして円弧状に、且つ光軸に沿った方向に高低差のあるスロープとして形成されているが、図１においては、それらのカム面１ｆの形成されている角度範囲を理解できるようにするために、第２環状面１ｅの基準面から補助地板２側に高くなり始める箇所と一番高い箇所とを、光軸を中心にした放射状の一対の一点鎖線で示してある。そして、それらの一対の一点鎖線のうち、光軸を中心にして右側となる一点鎖線が一番高い箇所であるため、その箇所を示す３箇所の一点鎖線には、符号Ｈを付けてある。更に、地板１の羽根室側には、合成樹脂材料による同時一体成形によって、フック状をした三つの舌片１ｇが形成されているが、この舌片１ｇは、図２（ｂ）からも察せられるように弾性を有している。
【００１４】
本実施例の絞りリング４は、合成樹脂製であって、六つのカム形状をした長孔４ａを有しており、外周部には、歯部４ｂと二つの凹部４ｃを形成している。また、地板１の第２環状面１ｅと対向する面には、三つのカム面４ｄが、光軸を中心にして円弧状に、且つ光軸に沿った方向に高低差のあるスロープとして形成されているが、図１においては、それらのカム面４ｄの形成されている角度範囲を理解できるようにするために、絞りリング４の基準面から地板１側に高くなり始める箇所と一番高い箇所とを、光軸を中心にした放射状の一対の三点鎖線で示してある。そして、それらの一対の三点鎖線のうち、光軸を中心にして左側となる三点鎖線が一番高い箇所であるため、その箇所を示す３箇所の三点鎖線には、符号ｈを付けてある。このことからも分かるように、絞りリング４に形成されているカム面４ｄは、地板１の第２環状面１ｅに形成されているカム面１ｆとは、スロープの高さ方向が逆になるように形成されている（図２参照）。
【００１５】
この絞りリング４は、次のようにして地板１に取り付けられている。先ず、カム面４ｄを地板１側に向けておいて、凹部４ｃの位置を舌片１ｇの位置に合わせ、第２環状面１ｅに向けて落とし込む。このとき、絞りリング４には、凹部４ｃが二つしか形成されていないが、三つ目の凹部は、外周面より内側であって歯部４ｂに連設されている部位が、その役目をすることになる。次に、舌片１ｇを撓ませておいて、絞りリング４を反時計方向へ図１の位置まで回転させる。このようにして組み付けられた後は、絞りリング４は、その凹部４ｃの位置が舌片１ｇの位置まで回転させられることがないので、地板１から外れてしまうことがなくなる。そして、このような組み付け状態においては、図２（ｂ）に示されているように、舌片１ｇの弾性によって押圧され、カム面４ｄをカム面１ｆに接触させられた状態になる。即ち、舌片１ｇは、絞りリング４の取付片であると同時に、絞りリング４を押圧する弾性手段の役目をしていることになる。
【００１６】
尚、本実施例の場合には、舌片１ｇを地板１と同時一体成形で形成しているが、同様な機能を有する別部材として製作し、地板１に対して取り付けるように構成しても差し支えない。また、本実施例の場合には絞りリング４の内径が、補助地板２の開口部２ａの直径よりも大きい。そのため、被写体光路の大きさは、開口部２ａによって規制されている。しかしながら、絞りリング４の内径の方を小さくすることによって、被写体光路の大きさを規制するようにしてもよい。更に、本実施例の場合には、地板１の開口部１ａが、かなり大きな非円形の開口部に形成されているが、それを、開口部２ａの直径や絞りリング４の内径よりも小さな円形とすることによって、被写体光路の大きさを規制するようにしても構わない。
【００１７】
本実施例は、絞り羽根として、６枚の羽根５を備えている。それらの羽根５は、合成樹脂製であって同じ形状をしており、同一の面に羽根軸５ａと連結ピン５ｂを有しており、その羽根軸５ａを、地板１の第１環状面１ｄに形成された孔１ｈに回転可能に嵌合させ、連結ピン５ｂを、絞りリング４にカム形状に形成された長孔４ａに挿入している。また、それらの羽根５は、少なくともその先端部が隣接する羽根と重なるようにして取り付けられているが、本実施例の場合には、単に順番に重ね合わせているのではなく、全ての羽根が隣接する両側の羽根の間に存在するようにして重ね合わされている。尚、図３においては、図面を見易くするために、絞りリング４の長孔４ａと、羽根５と、地板１の孔１ｈについては、１枚の羽根５に関係するものについてだけ符号を付けてある。
【００１８】
本実施例の場合には、上記の絞りリング４が、ステップモータによって往復回転させられるようになっているが、そのステップモータの構成は、特許文献２に記載されている周知のステップモータの構成と実質的に同じである。そのため、図１においては、羽根室側に配置されている回転子６だけが示されている。そして、その回転子６は、出力歯車６ａを有していて、地板１に立設された軸１ｉに回転可能に取り付けられている。また、地板１の軸１ｊには減速歯車７が回転可能に取り付けられているが、この減速歯車７は、親歯車と子歯車を有する２段歯車であって、親歯車を上記の出力歯車６ａに噛合させ、子歯車を絞りリング４の歯部４ｃに噛合させている。
【００１９】
次に、本実施例の作動を説明する。図１は、６枚の羽根５が開口部２ａを全開にしている状態、即ち最大絞り口径の制御状態を示したものである。このとき、絞りリング４のカム面４ｄと地板１のカム面１ｆは、図２（ａ），図２（ｂ）に示されているように、光軸方向に沿った方向の高さが高い領域同士で接触しているため、絞りリング４と補助地板２の間隔は最小になっている。この状態で、回転子６が時計方向へ回転すると、絞りリング４も時計方向へ回転するので、６枚の羽根５は、同時に反時計方向へ回転させられ、先端部から開口部２ａ内に進入していくことによって、協働して形成される絞り口径を小さくしていく。
【００２０】
そして、本実施例の絞り装置がスチルカメラに採用されている場合には、所定の絞り口径が得られたところで回転子６が停止し、撮影が行われることになるし、ムービーカメラに採用されている場合には、被写体光の変化に対応して、回転子６が時計方向へ回転させられたり反時計方向へ回転させられたりして、常に適正な露光条件での撮影が行われるように絞り口径を変化させることになるが、図３は、そのようにして、最小絞り口径が形成された状態を示したものである。このとき、絞りリング４のカム面４ｄと地板１のカム面１ｆは、図４（ａ），図４（ｂ）に示されているように、相対位置関係が変わっているが、舌片１ｇの弾性によって、カム面４ｅの高い領域がカム面１ｆの低い領域と接触するようにさせられているため、絞りリング４と補助地板２の間隔は最大になっている。
【００２１】
ところで、従来のこの種のカメラ用絞り装置は、絞りリング４にカム面４ｄが形成されておらず、地板１にもカム面１ｆが形成されていなかったため、絞りリング４がどのような絞り口径制御位置にあっても、絞りリング４と補助地板２の間隔は同じであった。そのため、次のような不都合があった。図１に示されている最大絞り口径の制御状態のときには、各々の羽根５は、異なる部位で隣接する両側の羽根と重なっているため、絞りリング４と補助地板２の間隔は、実質的には２枚の重なり分だけを考慮すればよいことになる。ところが、そのような間隔にした場合には、最終的には図３に示されているように、先端部が他の４枚と重なって合計５枚分の重なりとなるため、絞り口径を小さくしていくにしたがって各羽根が反っていくようになる。
【００２２】
その結果、絞りリング４が最小絞り口径制御位置に近づいていくと、回転子６の負荷が大きくなっていくため、駆動力の大きなステップモータが必要になる。また、羽根相互間に軋みが生じて各羽根の反りによる変形が一定せず、小さい絞り口径制御領域において理想的な口径形状が得にくくなってしまう。更に、絞りリング４が、図３に示されているような最小絞り口径制御位置から反時計方向へ回転を開始させられるときには、羽根相互間の軋みによって、いわゆる引っ掛かりが生じ、作動開始が不安定になってしまう場合がある。
【００２３】
そこで、これらの不都合を解消するために、従来の機構において、絞りリング４と補助地板２の間隔を大きくし、小さい絞り口径の制御領域において、スムーズな作動が得られるようにすることが考えられる。しかしながら、そのようにすると、逆に大きい絞り口径制御領域において、各羽根５のガタツキが大きくなってしまうことになる。そのため、従来は、ステップモータの駆動力を大きくして対応していた。しかしながら、本実施例の場合には、上記のように、絞りリング４と補助地板２との間隔を、６枚の羽根５の相互の重なり状態に合わせて変化させるようにしている。そのため、小さい絞り口径の制御領域における羽根５の窮屈な作動が緩和され、仮に各々の羽根５に反りが生じたとしても、負荷の変動を最小限に止めることができるので、上記のような従来の構成における不都合を解消することができるようになっている。
【実施例２】
【００２４】
次に、図５〜図８を用いて実施例２を説明するが、図５は、最大絞り口径の制御状態を示す実施例２の平面図であり、図６は、図５の状態における要部の断面図である。また、図７は、最小絞り口径の制御状態を示す平面図であり、図８は、図７の状態における要部の断面図である。尚、本実施例の構成は、実施例１における地板１，補助地板２，絞りリング４の一部が異なるだけである。そのため、各図面においては、実施例１と実質的に同じ部材，部位に同じ符号を付け、それらについての説明を省略する。また、図５及び図７においては、本実施例の要部の構成を見易くするために、上記の図１及び図３に示されている回転子６と減速歯車７の図示を省略してある。更に、図５及び図７においては、上記の図３の場合と同様に、絞りリング４の長孔４ａと、羽根５と、地板１の孔１ｈについては、１枚の羽根５に関係したものについてだけ符号を付けてある。
【００２５】
そこで、実施例１と異なる構成について説明する。先ず、実施例１の地板１は、その外周部に断続的に六つの壁部１ｂを形成していたが、本実施例の場合には、断続的に四つの壁部１ｂを形成している。また、本実施例の地板１は、実施例１において設けられていた三つの舌片１ｇを設けていない。そのほかは、実施例１の地板１の場合と同じである。次に、本実施例の補助地板２は、実施例１の補助地板２に設けていなかった弾性を有する三つの舌片２ｃをプレス加工で形成している。そのほかは、実施例１の補助地板２の場合と同じである。尚、本実施例の場合には、舌片２ｃをこのようにして形成しているが、別部材として製作したものを取り付けるようにしても構わないし、補助地板２と共に合成樹脂材料による同時一体成形で形成するようにしても構わない。最後に、本実施例の絞りリング４は、実施例１において形成されていた二つの凹部４ｃを形成していない。そのほかは、実施例１の絞りリング４の場合と同じである。このような構成からも分かるように、本実施例の場合には、絞りリング４は、地板１に取り付けられているのではなく、補助地板２の舌片２ｃに押圧されることによって、そのカム面４ｄを地板１のカム面１ｆに接触させられているだけである。
【００２６】
次に、本実施例の作動を説明するが、その作動は、実施例１の場合と実質的に同じである。そのため、簡単に説明することにする。図５は、６枚の羽根５が開口部２ａを全開にした最大絞り口径の制御状態を示したものであって、絞りリング４のカム面４ｄと地板１のカム面１ｆは、図６から分かるように、光軸方向に沿った方向の高さが高い領域同士で接触し、絞りリング４と補助地板２の間隔が最小になっている。この図５の状態で、絞りリング４が、図示していない回転子６によって時計方向へ回転させられると、６枚の羽根５は、同時に反時計方向へ回転させられ、協働して絞り口径を小さくしていくと共に、舌片２ｃの弾性によりカム面４ｄとカム面１ｆの相対的な接触関係が変わってゆき、絞りリング４と補助地板２の間隔が大きくなっていく。
【００２７】
そして、所定の絞り口径制御位置に達すると、回転子６が停止して、絞りリング４と羽根５の回転も停止することになるが、図７及び図８には、絞りリング４が最小絞り口径の制御位置で停止し、絞りリング４と補助地板２の間隔が最大になっている状態が示されている。また、図７に示された状態において、絞りリング４が、反時計方向へ回転させられると、６枚の羽根５は、同時に時計方向へ回転させられて絞り口径を大きくしてゆき、途中で停止させられたり、図５及び図６に示された状態まで回転させられ、停止させられたりするようになっている。尚、重複を避けるために説明しないが、実施例１の作動に関連して説明したことは、全て本実施例にも援用される。
【００２８】
尚、上記の各実施例においては、各羽根５は、羽根軸５ａと連結ピン５ｂとを同一面に設けているが、本発明は、そのような構成に限定されず、一方の面に羽根軸５ａを設け、他方の面に連結ピン５ｂ設けるようにしてもよい。そして、そのように構成した場合には、羽根軸５ａは、補助地板２に設けられた孔に嵌合させることになる。また、そのように補助地板２に取り付ける場合でも、上記の各実施例のように地板１に取り付ける場合であっても、羽根５には取付軸５ａに代えて孔を形成し、その孔を、地板１又は補助地板２に設けた取付軸に対して嵌合させるようにしてもよい。更に、上記の各実施例の場合には、羽根５に連結軸５ｂを設け、絞りリング４にカム形状の長孔４ａを形成しているが、特許文献１に記載されているように、絞りリング４に連結ピンを設け、羽根５に長孔を形成するようにしても構わない。
【００２９】
また、上記の各実施例は、いずれも、本発明を単体の絞り装置として構成したものである。しかしながら、本発明は、シャッタ装置と共にユニット化した絞り装置としても構成することが可能である。そして、そのように構成する場合には、本実施例の地板１と補助地板２との間を、薄い板部材である中間板で仕切り、地板１と中間板の間に絞りリングと絞り羽根を配置し、中間板と補助地板２の間にシャッタ羽根を配置することが知られている。そして、その場合には、地板１の羽根室外の面に、シャッタ羽根の駆動手段として第２の電磁アクチュエータを取り付けることになる。また、上記の実施例２の構成を採用する場合には、舌片２ｃを中間板に設けることになる。従って、本発明の板部材は、上記の各実施例のように補助地板２である場合もあるし、また、シャッタ装置と共にユニット化した絞り装置における中間板である場合もある。
【図面の簡単な説明】
【００３０】
【図１】最大絞り口径の制御状態を示す実施例１の平面図である。
【図２】図１の状態における要部の断面図であって、図２（ａ）は羽根の取付け位置を示したものであり、図２（ｂ）は絞りリングの取付け位置を示したものである。
【図３】最小絞り口径の制御状態を示す実施例１の平面図である。
【図４】図３の状態における要部の断面図であって、図４（ａ）は羽根の取付け位置を示したものであり、図４（ｂ）は絞りリングの取付け位置を示したものである。
【図５】最大絞り口径の制御状態を示す実施例２の平面図である。
【図６】図５の状態における要部の断面図である。
【図７】最小絞り口径の制御状態を示す実施例２の平面図である。
【図８】図７の状態における要部の断面図である。
【符号の説明】
【００３１】
１                            地板
１ａ，２ａ                    開口部
１ｂ                          壁部
１ｃ                          突起部
１ｄ                          第１環状面
１ｅ                          第２環状面
１ｆ，４ｄ                    カム面
１ｇ，２ｃ                    舌片
１ｈ                          孔
１ｉ，１ｊ                    軸
２                            補助地板
２ｂ                          折曲部
３                            ねじ
４                            絞りリング
４ａ                          長孔
４ｂ                          歯部
４ｃ                          凹部
５                            羽根
５ａ                          羽根軸
５ｂ                          連結ピン
６                            回転子
６ａ                          出力歯車
７                            減速歯車
【図１】
2008134283.tif 000003
【図２】
2008134283.tif 000004
【図３】
2008134283.tif 000005
【図４】
2008134283.tif 000006
【図５】
2008134283.tif 000007
【図６】
2008134283.tif 000008
【図７】
2008134283.tif 000009
【図８】
2008134283.tif 000010